【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
ハンドルバーアセンブリと、
デッキと、
前記ハンドルバーアセンブリを前記デッキに結合するピボットアセンブリと、
を備えるスクーターであって、前記ピボットアセンブリが、
ロッドによってブラケットに枢動可能に連結された支持アセンブリであって、前記ブラケットが第２受容領域から離間した第１受容領域と、前記第１および第２受容領域の間に配置されたレール面の中間部分とを有するレール面を備え、前記中間部分は、前記ロッドから第１距離離れて配置され、前記第１距離は、前記ロッドおよび前記第１または第２受容領域の間の距離より大きい、支持アセンブリと、
カラーによってピンに連結されたノブであって、前記ピンを前記ロッドから離れる半径方向にスライドさせるよう構成されたノブと、
前記支持アセンブリの面を横切って延在するブレース部分と、
前記カラーを貫通するシャフトであって、前記シャフトの第１端部は、前記ノブに取り付けられ、前記シャフトの第２端部は、前記第１端部と反対側であり、第１回転方向に前記ノブが回転すると、前記ブレース部分と係合するように前記第２端部が移動し、それにより前記デッキに対する前記ハンドルバーアセンブリの動きを阻止するように、前記ノブが構成されている、シャフトと、
を備える、スクーター。
【請求項２】
前記ノブが前記第１回転方向に回転すると、前記ノブが前記支持アセンブリに向かって長手方向に進む、請求項１に記載のスクーター。
【請求項３】
前記ノブが前記第１回転方向に回転すると、前記ノブが長手方向において前記支持アセンブリに対して固定されたままとなる、請求項１に記載のスクーター。
【請求項４】
前記シャフトの前記第２端部および前記ブレース部分の間に配置された足部をさらに備える、請求項１に記載のスクーター。
【請求項５】
前記足部および前記ブレース部分の一方が突出部を備え、前記足部および前記ブレース部分の他方が凹部を備え、前記突出部は、前記凹部の内側に適合し、前記シャフトの長軸に対する前記足部の回転を防ぐよう構成されている、請求項４に記載のスクーター。
【請求項６】
前記ブラケットが第１横方向部分および第２横方向部分を備え、前記支持アセンブリが前記第１横方向部分および前記第２横方向部分の間に配置されている、請求項１に記載のスクーター。
【請求項７】
前記第１受容領域が前方第１受容領域および後方第１受容領域を備え、前記前方第１受容領域が前記第１横方向部分に配置され、前記後方第１受容領域が前記第２横方向部分に配置されている、請求項６に記載のスクーター。
【請求項８】
前記第２受容領域が前方第２受容領域および後方第２受容領域を備え、前記前方第２受容領域が前記第１横方向部分に配置され、前記後方第２受容領域が前記第２横方向部分に配置されている、請求項７に記載のスクーター。
【請求項９】
前記ピンが前方部分および後方部分を備え、前記ピンの前記前方部分は、前記第１横方向部分の少なくとも一部分と接触するよう構成され、前記ピンの前記後方部分は、前記第２横方向部分の少なくとも一部分と接触するよう構成されている、請求項８に記載のスクーター。
【請求項１０】
スクーターのための格納式支持体であって、前記支持体が、
前記スクーターのデッキに取り付けられた取付アセンブリと、
前記取付アセンブリに枢動可能に取り付けられたベース部であって、前記スクーターの長手方向軸に略垂直のベース部と、
前記ベース部に連結され、前記デッキの第１側を越えて横方向に延在する第１耳部と、
前記ベース部に連結されて、前記デッキの第２側を越えて横方向に延在する第２耳部であって、前記第２側は、前記第１側の反対側である、第２耳部と、
を備える、格納式支持体。
【請求項１１】
前記取り付けアセンブリが格納位置および展開位置の間で前記ベース部を移動するよう構成されている、請求項１０に記載の格納式支持体。
【請求項１２】
前記格納位置において、前記耳部が前記ベース部の少なくとも一部分よりも地面からさらに離れている、請求項１１に記載の格納式支持体。
【請求項１３】
前記格納位置において、前記取付アセンブリが前記ベース部の少なくとも一部分よりも地面からさらに離れている、請求項１１に記載の格納式支持体。
【請求項１４】
前記耳部の少なくとも一部分に配置された緩衝機構をさらに備える、請求項１０に記載の格納式支持体。
【請求項１５】
前記ベース部の少なくとも一部分に配置された緩衝機構をさらに備える、請求項１０に記載の格納式支持体。
【請求項１６】
前記格納式支持体が前記展開位置の場合に、前記格納式支持体が取り付けられた前記スクーターの前輪が地面から持ち上げられる、請求項１１に記載の格納式支持体。
【請求項１７】
第１介在面によって上面に連結された前面と、
第２介在面によって前記上面に連結された後面と、
を備え、
前記上面が凸状であり、かつ前記第２介在面が前記前面に略平行である、
人間工学的ハンドグリップ。
【請求項１８】
前記ハンドグリップの長軸に沿ってみた場合に前記ハンドグリップが略三角形形状である、請求項１７に記載のハンドグリップ。
【請求項１９】
使用時に、前記略三角形形状の頂点が前記略三角形形状の他の部分よりも地面に近い、請求項１８に記載のハンドグリップ。
【請求項２０】
使用時に、前記略三角形形状の面が前記略三角形形状の他の部分よりも地面から遠い、請求項１８に記載のハンドグリップ。
【請求項２１】
ハンドルバーアセンブリと、
デッキと、
ピボットアセンブリであって、
ブレース部分と、
第１の受容領域と、
第２の受容領域と、
前記第１の受容領域および前記第２の受容領域の間の中間部分と
を備えるピボットアセンブリと、
前記ピボットアセンブリに枢動可能に連結された支持アセンブリであって、
カラーによってピンに連結された駆動部であって、前記ピンは、前記中間部分に沿って移動可能である、駆動部と、
前記カラーを貫通するシャフトであって、前記シャフトは、第１端部および第２端部を備え、前記シャフトの第１端部は、前記駆動部に取り付けられ、前記駆動部の第１回転方向の回転により前記シャフトの前記第２端部を動かして前記ブレース部分と係合するように前記駆動部が構成される、シャフトと、
を備える支持アセンブリと、
を備えるスクーターであって、
前記スクーターは、
前記ピボットアセンブリが第１の状態にある場合に、前記シャフトの前記第２端部は、前記ブレース部分と係合し、
前記ピボットアセンブリが第２の状態にある場合、前記シャフトの前記第２端部は、前記ブレース部分から長手方向ギャップだけ離れている、
ように構成されている、スクーター。
【請求項２２】
前記駆動部は、前記シャフトの長手方向軸の周りを回転するように構成されている、請求項２１に記載のスクーター。
【請求項２３】
前記シャフトの前記第２端部が足部を備える、請求項２１に記載のスクーター。
【請求項２４】
前記ピボットアセンブリは、第１横方向部分および第２横方向部分をさらに備え、前記支持アセンブリは、前記第１および第２横方向部分の間に配置される、請求項２１に記載のスクーター。
【請求項２５】
ハンドルバーアセンブリと、
デッキと、
ピボットアセンブリであって、
ブレース部分と、
第１の受容領域と、
第２の受容領域と、
前記第１の受容領域および前記第２の受容領域の間の中間部分と、
前記中間部分に沿って移動可能であるピンと、
を備えるピボットアセンブリと、
前記ピボットアセンブリに枢動可能に連結された支持アセンブリであって、
駆動部と、
第１端部および前記第１端部の反対側の第２端部とを備えるシャフトであって、前記シャフトの前記第１端部は、前記駆動部に取り付けられた、シャフトと、
を備える支持アセンブリと、
を備えるスクーターであって、
前記スクーターは、
前記ピボットアセンブリが第１の状態にある場合に、前記シャフトの前記第２端部は、前記ブレース部分と係合し、
前記ピボットアセンブリが第２の状態にある場合、前記シャフトの前記第２端部は、前記ブレース部分から長手方向ギャップだけ離れている、
ように構成されている、スクーター。
【請求項２６】
前記駆動部は、前記シャフトの長手方向軸の周りを回転するように構成されている、請求項２５に記載のスクーター。
【請求項２７】
前記シャフトの前記第２端部が足部を備える、請求項２５に記載のスクーター。
【請求項２８】
前記ピボットアセンブリは、第１横方向部分および第２横方向部分をさらに備え、前記支持アセンブリは、前記第１および第２横方向部分の間に配置される、請求項２５に記載のスクーター。
【請求項２９】
スクーターのデッキに対するスクーターのハンドルバーアセンブリのがたつきを抑制するための方法であって、
ブラケットの前方スロット内にピンを配置するステップと、
ノブを第１回転方向に回転させるステップであって、前記ノブは、カラーによって前記ピンに結合され、シャフトの第１端部に結合される、ステップと、
前記ノブの前記第１回転方向の回転に応答して、前記シャフトの前記第１端部の反対側の第２端部をブレース部分と係合するように動かすステップであって、それによって、スクーター使用中に、前記スクーターの前記デッキに対する前記スクーターの前記ハンドルバーアセンブリのがたつきを抑制する圧縮力を生成する、ステップと、
を備える方法。
【請求項３０】
後方スロットから前記前方スロットに向かって前記ブラケットのレール表面に沿って前記ピンをスライドさせるステップをさらに含む、請求項２９に記載の方法。
【請求項３１】
前記ノブを長手方向に前進させるステップをさらに含む、請求項２９に記載の方法。
【請求項３２】
突出部を凹部に挿入するステップをさらに含み、それにより、前記シャフトの長手方向軸に対する足部の回転を阻害し、前記足部および前記ブレース部分の一方が前記突出部を備え、前記足部および前記ブレース部分の他方が前記凹部を含み、前記足部は、前記シャフトの前記第２端部と前記ブレース部分との間に配置される、請求項２９に記載の方法。